(57)【要約】      （修正有）【課題】吊り上げ巾は小さく、移送距離を短かく、労力も少なくし、転倒防止、誤操作の防止および、狭い部屋での有効性を得る介護リフトの提供。【解決手段】車椅子の横を跨ぐ左右の脚台（４）の裏に車輪（５）を有し、上面の後部に支柱（７）を直立させ、該支柱（７）の中程に前へ手すり（１０）を着脱とし、枠体（１３）に滑車（１５）を備える回動部材（１６）を上向きの凹形状（１４）に備え、かつ前、後部に滑車（１７）（１８）を備えて成る枠体（１３）を支柱（７）の上部に前方へ水平状とし、支柱間に滑車（１１）を備え上下自在させ、該滑車（１１）と連絡するハンガーと手動式昇降機（２２）を備えている。【選択図】図１
0003118140.tif 000002
【実用新案登録請求の範囲】
【請求項１】
車椅子の横方向を跨ぐ左右の脚台の下面に車輪を有し、上面の後部に支柱を上向きに設け、該支柱の略中央辺に前方へ手すりを着脱自在とすると共に、枠体の上面の左右に滑車を備える回動部材を上向きの凹形状に装備し、前、後部に滑車を備えて成る枠体を前記支柱の上部に結合して前方へ水平状に突出させ、かつ前記左右の支柱間に滑車を備え上下自在とし、該滑車と連絡するハンガーと手動式昇降機を備えた構造を特徴とした介護リフト。
【考案の詳細な説明】
【技術分野】
【０００１】
本考案は、ベッドから車椅子への病弱者や身体障害者の吊り上げ、降ろし、移送を容易に行うための介護リフトに関する。
【背景技術】
【０００２】
従来の介護リフトでは、例えば、一方の支柱を円周方向へ回転移動させて患者を車椅子へ容易に乗降させ、狭い部屋を有効に使用出来、介護者の労力の軽減を図る（特開２００２−６５７６３公報参照）がある。
【特許文献１】特開２００２−６５７６３公報
【考案の開示】
【考案が解決しようとする課題】
【０００３】
従来の介護リフトにおいては、病弱者や身体障害者のベッドから車椅子への移送には、吊り上げ、移送などに不安があった。例えば、吊り上げ巾は大きく、移動距離も、空間もあり、症状によっては恐怖心や苦痛を伴う。
【課題を解決するための手段】
【０００４】
上記課題を解決するために、本考案における介護リフトでは、車椅子の横方向を跨ぐ左右の脚台の下面に車輪を有し、上面の後部に支柱を上向きに設け、該支柱の略中央辺に前方へ手すりを着脱自在とすると共に、枠体の上面の左右に滑車を備える回動部材を上向きの凹形状に装備し、前、後部に滑車を備えて成る枠体を前記支柱の上部に結合して前方へ水平状に突出させ、かつ前記左右の支柱間に滑車を備え上下自在とし、該滑車と連絡するハンガーと手動式昇降機を備えた構造にしている。
【考案の効果】
【０００５】
本考案は、以上のような構造としているので、例えば、吊り上げ巾は小さく、移送距離も短かく、転倒防止、誤操作の防止など病弱者や身体障害者に安心と安全を与える。また、手すり部は机の台、枠体は、おむつの取り替え（脚上げ）、車椅子の出入は前後から可能など狭い部屋での有効性、労力や熟練を要さず一人で出来、さらに構造は簡単、しかも、安価であり利用者や介護者の双方に利点がある。
【考案を実施するための最良の形態】
【０００６】
本考案の実施の形態を実施例にもとづき図面について説明する。図１〜図３に示す介護リフト（１）の本体（２）は樹脂被覆パイプと継具、管からなる組立式を可能としている。
【０００７】
車椅子（３）の横方向に余裕の間隔を有して跨ぐように配した左右の脚台（４）の下面に前中後の６ヵ所に車輪（５）を取り付け、前記左右の脚台（４）の後部へ継具（６）により左右に支柱（７）を上向きに固着し、該左右の支柱（７）の略中程に継具（８）を固着してベッド（９）の横寸法の略中央辺の長さ寸法の手すり状（１０）を前方へ着脱自在としている。
【０００８】
また、前記左右の支柱（７）間の中程に吊り上げ、降ろし、移送時に要する滑車（１１）と両端に係止具を付けた押手（１２）を上下自在としている。
【０００９】
また、手すり状（１０）の長さ寸法を前部に、左右の支柱（７）間を後部として枠体（１３）を設け、該枠体（１３）内に等分して左右に上向きの凹形状（１４）を固着させ、該凹形状（１４）内に滑車（１５）を備える回動自在の回動部材（１６）を前後に並行して結合して備え、かつ前、後部に滑車（１７）（１８）を備える形成とした枠体（１３）を左右の支柱（７）の上部に継具（１９）により結合して固着させ前方へ水平状に突出している。
【００１０】
また、前記滑車（１１）（１８）（１５）を通じて吊り上げ用ハンガー（２０）と紐体（２１）で連絡する手動式昇降機（２２）を前記左右の支柱（７）上部に備えた構造としている。なお、枠体（１３）の前部の滑車（１７）は車椅子（３）からベッド（９）上への吊り上げ、降ろし、移送用とする。
【実施例】
【００１１】
前記の実施例の使用について説明すると、ベッド（９）の側面（長手方向）上に臥せる病弱者を介助者がベッド（９）から車椅子（３）へ移送する場合は、病弱者の腰下に滑りシート（２３）を敷き入れる。
【００１２】
次に、腰辺に車椅子（３）の前部をベッド（９）の側面に近接させて車椅子（３）を挟むように手すり（１０）を除いた介護リフト（１）の脚台（４）を前部からベッド下辺に差し入れ側面へ近接させ上方のハンガー（２０）を前部へ移動する。
【００１３】
次に、ベッド機能により背上げして座らせ足を向う側へ方向変えと共に、腰を手前へ引き寄せ、（必要により手すり（１０）を付ける）背中に胸シート（２４）及び膝裏に脚シート（２５）を装着する。
【００１４】
次に、ハンガー（２０）に掛け、手元の手動式昇降機（２２）のレバー操作すれば上部の滑車（１５）（１８）（１１）を通じて紐体（２１）がハンガー（２０）を吊り上げ回動部材（１６）を後部へ移動して車椅子（３）の座席へ移送できる。
【００１５】
ハンガー（２０）が座る位置に届かない時は介護リフト（１）を少し後へ移動し、座席に移送して前記のレバー操作で下ろす。（なお、以後、手動式昇降機（２２）のレバー操作をレバー操作とする）
【００１６】
次に、病弱者を車椅子（３）からベッド（９）上へ移送の場合は、車椅子（３）は病弱者が足を組んだり、曲げたり出来る余裕のベッド（９）との距離に前向きに停止させる。（ベッド（９）上に滑りシート（２３）は用意有り）
【００１７】
次に、ハンガー（２０）を後部へ移動して介護リフト（１）のハンガー（２０）を背中辺に停止させ、病弱者が足を組んだり、曲げたりの楽な状態で脚シート（２５）上に置く。
【００１８】
次に、レバー操作によりベッド（９）の高さに吊り上げ車椅子（３）をベッド（９）側面へ近接させると共に、介護リフト（１）をベッド（９）側面へ近接して胸シート（２４）を着け、レバー操作によりハンガー（２０）を少し吊り上げ、滑車（１５）（１７）（１８）（１１）を通じ回動部材（１６）を前部へ移動させベッド（９）上へ移送して降ろす。
【００１９】
また、症状により脚上げの難しい場合におけるベッド（９）から車椅子（３）への移送には、ハンガー（２０）を前部へ移動して胸シート（２４）を背中に装着して、レバー操作で腰を少し上げてハンガー（２０）を係止させ、足側は滑りシート（２３）上に置いて滑り板（２６）をベッド（９）と車椅子（３）の橋渡しとして介助者はレバー操作をせず、病弱者の身体を支えて移送も可能である。
【００２０】
なお、吊り上げベルトは吊り上げた時に腰と足の下辺が略同じ高さになるよう調節して行う。また、押手（１２）は車椅子（３）の出入時には上部へ移動して係止する。
【図面の簡単な説明】
【００２１】
【図１】本考案の斜視図である。
【図２】図１に示す使用状態の側面図である。
【図３】図１に示す使用状態の平面図である。
【符号の説明】
【００２２】
１  介護リフト
２  本体
３  車椅子
４  脚台
５  車輪
６  継具
７  支柱
８  継具
９  ベッド
１０  手すり状
１１  滑車
１２  押手
１３  枠体
１４  凹形状
１５  滑車
１６  回動部材
１７  滑車
１８  滑車
１９  継具
２０  ハンガー
２１  紐体
２２  手動式昇降機
２３  滑りシート
２４  胸シート
２５  脚シート
２６  滑り板
２７  蓋体
【図１】
0003118140.tif 000003
【図２】
0003118140.tif 000004
【図３】
0003118140.tif 000005
【手続補正書】
【提出日】平成17年11月10日(2005.11.10)
【手続補正１】
【補正対象書類名】実用新案登録請求の範囲
【補正対象項目名】全文
【補正方法】変更
【補正の内容】
【実用新案登録請求の範囲】
【請求項１】
車椅子（３）の横方向を跨ぐ左右の脚台（４）の下面に車輪（５）を有し、左右の上面の後部に支柱（７）を上向きに設け、該左右の支柱（７）の略中央辺に前方へ向けて手すり（１０）を着脱自在に設けると共に、前記左右の支柱（７）の上部の前後に滑車（１７）（１８）を備えた四辺形の枠体（１３）を設け該枠体（１３）の左右の上面に上向きの凹形状（１４）の溝を前方に向けて設け吊り上げの基台として水平状に突出させ、さらに、該左右の凹形状（１４）の溝の間にまたがって回動部材（１６）を装備し、該回動部材（１６）の中間に滑車（１５）を備えて吊り上げの上下動と回動部材（１６）の前後の一方向に走行可能とし、且つ前記左右の支柱（７）の間に滑車（１１）を備え、上下自在として該滑車（１１）及び前記滑車（１５）（１７）（１８）と連結するハンガー（２０）と昇降機（２２）を備えて構成したことを特徴とする介護リフト。
【手続補正２】
【補正対象書類名】明細書
【補正対象項目名】全文
【補正方法】変更
【補正の内容】
【考案の詳細な説明】
【技術分野】
【０００１】
本考案は、ベッドから車椅子への病弱者や身体障害者の吊り上げ、降ろし、移送を容易に行うための介護リフトに関する。
【背景技術】
【０００２】
従来の介護リフトでは、例えば、一方の支柱を円周方向へ回転移動させて患者を車椅子へ容易に乗降させ、狭い部屋を有効に使用出来、介護者の労力の軽減を図る（特開２００２−６５７６３公報参照）および、身体不自由者に恐怖感を与えることなく、簡単な操作によって車椅子からの入浴、あるいはベッドと車椅子間の移乗を行うことができる家庭用介護リフト（特開２０００−２９６１５６公報参照）などがある。
【特許文献１】特開２００２−６５７６３公報
【特許文献２】特開２０００−２９６１５６公報
【考案の開示】
【考案が解決しようとする課題】
【０００３】
従来の介護リフトにおいては、病弱者や身体障害者のベッドから車椅子への移送には、吊り上げ、移送などに不安があった。例えば、吊り上げ巾は大きく、移動距離も、空間もあり、症状によっては恐怖心や苦痛を伴う。
【課題を解決するための手段】
【０００４】
本考案は、車椅子（３）の横方向を跨ぐ左右の脚台（４）の下面に車輪（５）を有し、左右の上面の後部に支柱（７）を上向きに設け、該左右の支柱（７）の略中央辺に前方へ向けて手すり（１０）を着脱自在に設けると共に、前記左右の支柱（７）の上部の前後に滑車（１７）（１８）を備えた四辺形の枠体（１３）を設け該枠体（１３）の左右の上面に上向きの凹形状（１４）の溝を前方に向けて設け吊り上げの基台として水平状に突出させ、さらに、該左右の凹形状（１４）の溝の間にまたがって回動部材（１６）を装備し、該回動部材（１６）の中間に滑車（１５）を備えて吊り上げの上下動と回動部材（１６）の前後の一方向に走行可能とし、且つ前記左右の支柱（７）の間に滑車（１１）を備え、上下自在として該滑車（１１）及び前記滑車（１５）（１７）（１８）と連結するハンガー（２０）と昇降機（２２）を備えて構成している。
【考案の効果】
【０００５】
本考案は、以上のような構造としているのでベッド→車椅子、車椅子→ベッドへの移送に際して例えば、吊り上げ巾は小さく、移送距離も短かく、且つ転倒防止など病弱者や身体障害者に安心と安全を与える。また、上方の滑車では手足の運動、おむつ替え（脚上げ）、手すりは机の置台として便利で多用のため収納はベッドの足元へ移動でよい。また、車椅子に座ったままで本リフトの前後への通り抜けが可能など狭い部屋での有効性、大きな労力や熟練を要さず一人で出来、さらに構造は簡単、しかも、安価であり、利用者や介護者の双方に利点がある。
【考案を実施するための最良の形態】
【０００６】
本考案の実施の形態を実施例にもとづき図面について説明する。図１〜図３に示す介護リフト（１）の本体（２）は樹脂被覆パイプと継具、管からなる組立式を可能としている。
【０００７】
車椅子（３）の横方向に余裕の間隔を有して跨ぐように配した左右の脚台（４）の下面に前中後の６ヵ所に車輪（５）を取り付け、前記左右の脚台（４）の後部へ継具（６）により左右に支柱（７）を上向きに固着し、該左右の支柱（７）の略中程に継具（８）を固着してベッド（９）の横寸法の略中央辺の長さ寸法の手すり状（１０）を前方へ着脱自在としている。
【０００８】
また、前記左右の支柱（７）間の中程に吊り上げ、降ろし、移送時に要する滑車（１１）と両端に係止具を付けた押手（１２）を上下自在としている。
【０００９】
また、ベッド（９）の横寸法の略中央辺の長さ寸法を前方に向け左右の支柱（７）の間を幅として前後に滑車（１７）（１８）を備えた四辺形の枠体（１３）を設け、該枠体（１３）の左右の上面に上向きの凹形状（１４）の溝を前方に向けて設け吊り上げ台として水平状に突出させ、さらに該左右の凹形状（１４）の溝の間に滑車（１５）を備えた回動部材（１６）を前後に配列して結合させ吊り上げの上下動と回動部材（１６）の前後の一方向に走行可能としている。
【００１０】
また、前記滑車（１１）（１８）（１５）を通じて吊り上げ用ハンガー（２０）と紐体（２１）で連絡する手動式昇降機（２２）を前記左右の支柱（７）上部に備えた構造としている。なお、枠体（１３）の前部の滑車（１７）は車椅子（３）からベッド（９）上への吊り上げ、降ろし、移送用とする。
【００１１】
なお、吊り上げベルトは、吊り上げた時に腰と足の下辺が略同じ高さになるよう調節し、吊り上げ、移送はレバー操作によりハンガー（２０）の吊り上げを一定の上限で停止して回動部材（１６）の移動を行う。また、押手（１２）は車椅子（３）の出入時には上部へ移動して係止する。
【実施例】
【００１２】
前記の実施例の使用について説明すると、ベッド（９）の側面（長手方向）上に臥せる病弱者を介助者がベッド（９）から車椅子（３）へ移送する場合は、病弱者の腰下に滑りシート（２３）を敷き入れる。
【００１３】
次に、腰辺に車椅子（３）の前部をベッド（９）の側面に近接させて車椅子（３）を挟むように手すり（１０）を除いた介護リフト（１）の脚台（４）を前部からベッド下辺に差し入れ側面へ近接させ上方のハンガー（２０）を前部へ移動する。
【００１４】
次に、ベッド機能により背上げして座らせ足を向う側へ方向変えと共に、腰を手前へ引き寄せ、（必要により手すり（１０）を付ける）背中に胸シート（２４）及び膝裏に脚シート（２５）を装着する。
【００１５】
次に、ハンガー（２０）に掛け、手元の手動式昇降機（２２）のレバー操作すれば上部の滑車（１５）（１８）（１１）を通じて紐体（２１）がハンガー（２０）を吊り上げ回動部材（１６）を後部へ移動して車椅子（３）の座席へ移送できる。
【００１６】
病弱者が座る位置に届かない時は介護リフト（１）を少し後へ移動させ座席に移送して前記のレバー操作で下ろす。（なお、以後、手動式昇降機（２２）のレバー操作をレバー操作とする）
【００１７】
次に、病弱者を車椅子（３）からベッド（９）上へ移送する場合、図示はしないが例えば、ベッド（９）の側面（長手方向）に車椅子（３）を後向きに近接させて背もたれを除き、ベッド（９）上に滑りシート（２３）を用意し、車椅子（３）の左右を挟んで手すり（１０）を装着する介護リフト（１）の前部を同じくベッド（９）側面へ近接させ、手動式昇降機（２２）より連絡する紐体（２１）を滑車（１５）（１７）（１８）（１１）とするハンガー（２０）を後部に移動して、背中に胸シート（２４）、膝裏に脚シート（２５）を装着して前記ハンガー（２０）に掛け、レバー操作で回動部材（１６）を前へ移動してベッド（９）上へ移送して降ろす。あとは滑りシート（２４）を活用すればよい。
【００１８】
また、症状により脚上げの難しい場合におけるベッド（９）から車椅子（３）への移送には、例えば、前述の如く滑りシート（２３）を用意したベッド上に病弱者を座らせ、ベッド（９）の側面に車椅子（３）の前部を接近させ、該車椅子（３）を挟んで手すり（１０）を装着した介護リフト（１）の前部を同じく接近させハンガー（２０）を前部に移動して、胸シート（２４）を背中に装着してハンガー（２０）に掛け、レバー操作で少し吊り上げ停止させる。足側は滑りシート（２３）上に置いて滑り板（２６）をベッド（９）と車椅子（３）の橋渡しとして介助者はレバー操作をせずに病弱者の身体を支えて回動部材（１６）を移動させての移送を可能とする。
【００１９】
なお、ベッド→車椅子、車椅子→ベッドへの移送において、ベッド（９）側面に近接させる車椅子（３）の前向き、後向きについては、病弱者や身体障害者、介助者の症状および、利用する車椅子の機種、機能によるものである。
【図面の簡単な説明】
【００２０】
【図１】本考案の斜視図である。
【図２】図１に示す使用状態の側面図である。
【図３】図１に示す使用状態の平面図である。
【符号の説明】
【００２１】
１  介護リフト
２  本体
３  車椅子
４  脚台
５  車輪
６  継具
７  支柱
８  継具
９  ベッド
１０  手すり
１１  滑車
１２  押手
１３  枠体
１４  凹形状
１５  滑車
１６  回動部材
１７  滑車
１８  滑車
１９  継具
２０  ハンガー
２１  紐体
２２  手動式昇降機
２３  滑りシート
２４  胸シート
２５  脚シート
２６  滑り板
２７  蓋体